(57)【要約】【課題】製品が製造された後に製品の表面に抗菌性を付与する場合、微生物への作用を更新することができ、そして抗菌剤は微生物による抵抗性の進展を阻止することのできる方法の提供。【解決手段】その条件の下で表面が抗菌性活性を示すことを要求される環境上の条件により活性化されうる感光剤を選択し、局所的に適用できる形で該感光剤から感光剤含有処方物を調製し、該感光剤含有処方物を該表面に適用し；そして該感光剤を該環境上の条件に曝すことからなる表面に抗菌的性質を付与する方法。【選択図】図１
2004538333.tif 000002
【特許請求の範囲】
【請求項１】
ａ）その条件の下で表面が抗菌性活性を示すことを要求される環境上の条件により活性化されうる感光剤を選択し、
ｂ）局所的に適用できる形で該感光剤から感光剤含有処方物を調製し、
ｃ）該感光剤含有処方物を該表面に適用し；そして
ｄ）該感光剤を該環境上の条件に曝す
ことを特徴とする表面に抗菌的性質を付与する方法。
【請求項２】
該環境上の条件が周囲の光である請求項１の方法。
【請求項３】
該環境上の条件が特定の照明源である請求項１の方法。
【請求項４】
該局所的に適用できる形がスプレイとしてである請求項１の方法。
【請求項５】
該局所的に適用できる形が溶液である請求項１の方法。
【請求項６】
該感光剤が、一重項酸素により開裂可能な結合メカニズムによって該表面に結合する請求項１の方法。
【請求項７】
該感光剤が、目的分子に結合させられるように選択的に修飾され、該目的分子は問題の微生物を目標としそして引きつけられるようにデザインされている請求項６の方法。
【請求項８】
該表面が、短期間の該環境上の条件に曝されて、一重項酸素を放出し該結合メカニズムを開裂し、次に或る期間該環境上の条件に曝されることなく微生物を該感光剤と接触または吸収させ、次に長期間の該環境上の条件に曝されて一重項酸素を生成して該微生物を殺す請求項６の方法。
【請求項９】
その条件の下で該表面が抗菌性活性を示すことを要求される環境上の条件により活性化されうる、局所に適用可能な形の感光剤を含むことを特徴とする表面に抗菌性を付与するための感光剤含有処方物。
【請求項１０】
該感光剤が目的分子に結合させられるように選択的に修飾され、該目的分子は問題の微生物を目標としそして引きつけられるようにデザインされている請求項９の感光剤含有処方物。
【請求項１１】
請求項９の感光剤含有処方物により被覆された表面を有し、該表面は活性化照明及び酸素から該感光剤を保護する除去可能な保護層を有することを特徴とする製品。
【請求項１２】
該除去可能な保護層が、金属フォイル、プラスチックフィルム及び紙シートからなる群から選ばれる請求項１１の製品。
【請求項１３】
多数の層を有し、該層のそれぞれは、感光剤含有処方物により被覆された上面を有するシートからなり、該シートのそれぞれは、活性化照明及び酸素から次の下方のシートの上面を保護することを特徴とする製品。
【請求項１４】
該感光剤が、目的分子を結合させられるように選択的に修飾され、該目的分子は問題の微生物を目標としそして引きつけられるようにデザインされている請求項１３の製品。
【発明の詳細な説明】
【技術分野】
【０００１】
本発明は、細菌、ウイルス及びかびを抑える抗菌性を有する通常の表面を提供する製品及び方法に関する。
【背景技術】
【０００２】
多くの消費財及び工業製品の表面には、健康にハザードをもたらす細菌、ウイルス及びかびが常に存在している。これらの通常の表面を清潔にし殺菌することは、毎日行われている衛生上の方法である。これらの清潔にし殺菌する方法は、必ずしも満足しうる結果を生じない。それは、多くの微生物が、現在使用されている薬剤の多くに絶えず耐性を有するようになるからである。表面を殺菌するのに使用される化学組成物は、しばしば、目的以外の広い作用を有し、そしてアレルギーまたは化学的な感受性を有する人々にとり健康上のリスクをもたらす。
【０００３】
特許文献１は、船舶用の抗菌性ペイントとして使用されるターポリマーを記述している。コーティングは、次第に分解して、ペイントを抗菌的に活性に保つ非常に毒性のある化合物を生成する。このタイプのコーティングは、ペイントの活性成分が無効なレベルに最後になるとき、それらの作用を失うことになる。この発明により生成される毒性の化合物により、消費財または普通の工業上の物品に使用することを不可能にする。
【０００４】
特許文献２は、治療の過程中感染症の拡大を防ぐのに使用される付着可能な薄いフィルム状の予防バリヤを記述している。この発明は、感圧性の接着性裏面を有する視覚的に透明または不透明なプラスチックシートである。記述された発明は、物理的なバリヤであり、抗菌性を全く有しない。
【０００５】
特許文献３は、第三級ブチルアミノエチルメタクリレートがポリマー基体上で脂肪族の不飽和モノマーとグラフト共重合した抗菌性のポリマーの表面の製造方法を記述している。基体の表面は、グラフト重合が生ずる前にＵＶ照射のような方法によって活性化される。記述された発明は、ポリマーの基体に限定され、そして抗菌性は、生成物が製造されたときにのみもたらされる。この発明は、どのようにして抗菌性を既に形となった物品にもたらすのかは記述していない。
【０００６】
特許文献４は、生体作用剤により医療用装置を被覆し、生体内に移植されている間、生体作用（ｂｉｏａｃｔｉｖｅ）剤をコーティングから放出させる組成物を記述している。記述されたコーティング組成物は、使用中に顕著な反りまたは膨脹を生ずる装置を使用するときに特に採用される。記述された生体作用剤コーティングによって消費財をカバーすることは、それが保護されるべき物品の外観及び有用性を損なうために、実用的ではない。
【０００７】
特許文献５は、生物学的に動的な環境で基体を活性的に滅菌する表面を記述している。記述された発明は、生体内流体により多数のガルヴァーニ電池を形成して目的とする部位で抗菌性要素を放出する電気化学的に不活性な元素と組み合わされた抗菌性要素からなる。殆どの市販品及び工業用品は、生体内流体と接触することがないので、これらの表面を保護するための記述された発明を使用しても、利益がない。
【０００８】
特許文献６は、治療の過程中感染症の拡大を防ぐのに使用される付着可能な薄いフィルム状の予防バリヤを記述している。この発明は、感圧性の接着性裏面を有する視覚的に透明または不透明のプラスチックシートである。記述された発明は、物理的なバリヤであり、抗菌性を全く有しない。
【０００９】
本発明者は、それらの表面が感光剤によりカバーされるかまたは感光剤を含む医療用カテーテル及び移植物を既に明らかにした（特許文献７）。その発明の態様は、好適な照明により化合物を周期的に活性化する手段によって装置の表面に結合したまたは表面付近に存在する感光性化合物を有する。医療用装置への細菌の付着及び成長は、この発明を使用することによりかなりの時間抑制される。しかし、周囲の光線への表面の曝露により漂白が時間の経過とともに生ずるために、同様なやり方で消費財をカバーすることは実用的ではない。また、活性化照射としてレーザーを使用することも実用的ではない。
【００１０】
【特許文献１】
米国特許４５３２２６９
【特許文献２】
米国特許５５３４３４６
【特許文献３】
米国特許５９６７７１４
【特許文献４】
米国特許６２１４９０１
【特許文献５】
米国特許６０８０４９０
【特許文献６】
米国特許５５３４３４６
【特許文献７】
米国特許出願０９／３４５２８２（０６／３０／９９）
【発明の開示】
【発明が解決しようとする課題】
【００１１】
製品が製造された後に製品の表面に抗菌性を付与するとき、微生物への作用を更新することができ、そして抗菌剤が微生物による抵抗性の進展を阻止することのできる方法は有用である。
【課題を解決するための手段】
【００１２】
本発明の目的は、微生物にとり免疫性を形成するのが困難または不可能である、消費財及び工業物品上の表面に抗菌性保護を付与する製品を提供することである。
【００１３】
本発明の他の目的は、表面または製品上の微生物の成長を阻害できる、保護コーティングを絶えず活性化することにより、市販製品の表面または消費財上への微生物の付着の可能性を減少させる方法を提供することである。
【００１４】
本発明の他の目的は、表面または製品上の微生物の成長を阻害できる、保護コーティングを周期的に活性化することによって、表面または製品上の微生物の成長を遅らせる方法を提供することである。
【００１５】
本発明の他の目的は、必要に応じ個々にはぎ取られて新しい抗菌性の表面を提供できる目的物上に複数の抗菌性保護層を提供することである。
【００１６】
簡単にいえば、本発明は、消費財及び工業用品に抗菌性の表面をもたらすために感光剤を使用することを含む。このアプローチは、有毒な化学品及び溶液の使用を避けることができる。本発明は、また健康な人に受け入れられないか、またはアレルギーを有するかまたはそれ以外の感受性を有する人を刺激する分解生成物を形成するかもしれない化学組成物の使用を避けることができる。本発明によれば、特定の性質及び特定のデザインを有する感光剤は、消費者及び工業的な市場において感光剤を実際に使用できるように選択される。その条件下で保護されるべき表面がその抗菌性を示すことが要求される環境上の条件に適合する活性スペクトルを有する感光剤を選択することが重要である。これは、予想される照明エネルギー及び感度レベルが、目的とする微生物を殺すに足る一重項酸素を生ずることが必要なことを意味する。また、或る照明ランプ、例えば研究室、病院、薬局及び食料品売場において通常用いられるランプに主として存在する波長によってのみ活性化され、それにより照明ランプが点灯されたときに必要に応じてのみ表面を抗菌性にする感光剤を選択することができる。本発明の有用な特徴は、光力学的方法に対して抗菌抵抗性を有しない。また、感光剤が細胞を殺すのに必要な僅か１％の投与量で細菌に対して有効であることが知られていることも有用である。
【００１７】
本発明の上記及び他の目的及び利点は、図面（異なる図面の同じ参照番号は、同じ要素を示す）に関連して読まれる以下の記述から明らかになるだろう。
【００１８】
本発明の好ましい態様では、感光剤を含む処方物は、スプレイまたは溶液のような局所的に適用可能な形である。抗菌性処方物は、典型的に、水性担体及び追加の成分例えば緩衝液、塩、乾燥剤、抗酸化剤及び保存剤中の感光剤からなる。
【００１９】
感光剤を含む処方物は、感光剤を含む処方物を活性化照射及び酸化から保護する機能的に保護的な環境例えばスプレイ缶またはアプリケータに維持される。感光剤処方物は、抗菌性が望まれる表面または目的物に噴霧または塗布される。処方物中の感光剤は、その条件下で表面または生成物が抗菌性を示すことが要求される環境条件で活性化可能である。
【００２０】
別の態様では、抗菌性は、感光剤が特定の波長範囲でのみ活性化されうる局所的に利用可能な形で感光剤含有処方物を適用することによって表面に付与される。例えば、波長は、照明ランプ、例えば研究室、病院、薬局及び食料品売場に通常用いられるランプに主として存在する。これらの処方物は、特定の光が点灯されるとき活性化または再活性化され、必要に応じてのみ表面を抗菌性にする。これは、処方物を再適用する必要性を最低にするだろう。
【００２１】
本発明の他の好ましい態様では、感光剤処方物は、或るタイプの細菌のような困難な菌株の微生物が問題になっている表面を保護するのを増強する。処方物の成分が、保護されるべき表面に感光剤の分子を結合させる。結合メカニズムは、それが充分な濃度の一重項の酸素に曝されたとき開裂できるようにデザインされる。感光剤は、選択的に修飾されて、問題の細菌を目標とするかまたはそれに引きつけられるようにデザインされて目標分子を結合する。
【００２２】
短期間の照射に曝されるとき、結合を表面で開裂するのに充分な一重項の酸素が放出され、それにより感光剤分子を遊離する。照射源が消灯されそして一重項の酸素の濃度が細菌を損なうことのできる濃度より低くなるとき、細菌は成長する機会を有することになるだろう。目標分子は、感光剤を細菌の直ぐ近くに接近させ、そして好ましくは細菌に吸収されるようにするだろう。保護されるべき表面が次に照明されるとき、感光剤は、目標とする細菌の上またはその中で一重項の酸素をふたたび生成し、それにより局所的かつ増強された抗菌性の効果を示す。もしタイマーが照明源をコントロールするならば、このおびき寄せて殺す増強された保護の態様は、１日中有効である。
【００２３】
本発明は、以下の実施例により説明されるが、それにより制限されるものではない。
【実施例】
【００２４】
実施例  １
好ましい態様では、本発明は、保護フォイルのような感光剤により処理された表面上の保護層を利用する。これは、保護層が除かれるかまたははぎ取られるまで、酸素及びスペクトルの有害な部分から保護層の下面の感光剤含有処方物を遮るように働く。適用の例は、歯科または外科のトレーである（図１参照）。トレー１０２は、スプレー缶１０６または或る他のアプリケータを使用して感光剤含有処方物１０４を被覆され、次に保護層１０８により被覆される。トレー１０２を使用しようとするとき、保護層１０８が除かれ、そして露出された感光剤処方物１０４の抗菌性が働き出す。保護層１０８は、必要な機能を行う任意の材料から製造できるが、金属フォイル、ポリマーフィルム及び紙のシートが最も好ましい材料であろう。
【００２５】
実施例  ２
他の好ましい態様では、複数の層がパッド２００のように集められて、作用面を形成する（図２参照）。各層は、シート２０２からなり、そして各シートは次の下のシート２０８を保護する。各シート２０２の上面２０４は、感光剤処方物２０６により被覆される。シート２０２は、感光剤の活性化照明波長に対して不透明であり、そして次の下方のシート２０８を保護するように働く。シート２０２上の感光剤処方物２０６の抗菌活性が低下し始めると、シート２０２をはぎ取り次の下方のシート２０８を曝露させ、その抗菌性は選択された光源によって照明されるとき活性化される。追加のシートは、必要に応じてはぎ取られる。
【００２６】
この態様の１つの特定の応用は、細菌及び食中毒が大きな関心事である食品販売業においてであろう。複数のシートを感光剤処方物により被覆することにより、更新できる抗菌性の作用面が容易に利用できる。家庭用品は、使用前または使用中にシート上に置かれる。シートを目的にあわせて有効に使用しようとするとき、またはシートが汚染されるようになったとき、パッドの最上のシートをはぎ取り、感光剤処方物により被覆された新しいシートを曝露する。本発明はそれに結合した有害な化学品を有しないため、食料品販売業で使用するのに理想的である。シートは、必要な機能を行う任意の材料から製造できるが、金属フォイル、ポリマーフィルム及び紙のシートが最も好ましい材料であろう。
【００２７】
本発明の好ましい態様を図を参照して記述したが、本発明は上記の態様に制限されるものではなく、種々の変化及び修飾は、請求の範囲により限定されたような本発明の範囲または趣旨から逸脱することなく、当業者によって実施できることを理解すべきである。
【図面の簡単な説明】
【００２８】
【図１】除去可能な保護層を有する感光剤被覆表面を有する製品を示す。
【図２】それぞれ除去可能な保護層を有する複数の感光剤被覆表面を有する製品を示す。
【符号の説明】
【００２９】
１０２          トレー
１０４          感光剤含有処方物
１０６          スプレー缶
１０８          保護層
２００          パッド
２０２          シート
２０４          シートの上表面
２０６          感光剤処方物
２０８          下方のシート
【国際公開パンフレット】
2004538333.tif 000003
2004538333.tif 000004
2004538333.tif 000005
2004538333.tif 000006
2004538333.tif 000007
2004538333.tif 000008
2004538333.tif 000009
2004538333.tif 000010
2004538333.tif 000011
2004538333.tif 000012
2004538333.tif 000013
【国際調査報告】
2004538333.tif 000014
2004538333.tif 000015